【手続補正書】
【提出日】平成19年4月16日(2007.4.16)
【手続補正１】
【補正対象書類名】特許請求の範囲
【補正対象項目名】全文
【補正方法】変更
【補正の内容】
【特許請求の範囲】
【請求項１】
第１基板と第２基板の間に液晶層が挟持され、前記第１基板と前記第２基板との間の前記液晶層の層厚をギャップ部材によって維持するとともに、前記第１基板及び前記第２基板のうち一方の基板の前記液晶層側には、着色膜と遮光膜が備えられており、複数のドットを有して構成された表示領域において表示を行う液晶装置であって、
前記着色膜は、前記複数のドットに重なる複数色の表示着色膜と、前記表示領域の外部の周辺領域に設けられた周辺着色膜とを有し、前記遮光膜は、前記表示領域内において前記複数のドットの間に設けられたドット遮光膜と、前記周辺領域に設けられた周辺遮光膜とを有してなり、前記表示領域内には、前記表示着色膜の一部と前記ドット遮光膜とが重なり合う表示積層部が設けら、前記周辺領域内には、前記周辺遮光膜からなる周辺単層部と前記周辺着色膜と前記周辺遮光膜とが重なり合う周辺積層部とが設けられており、前記周辺領域内において、前記周辺積層部は、前記周辺単層部を複数の領域で囲むように配置されていることを特徴とする液晶装置。
【請求項２】
前記周辺積層部で囲まれた前記周辺単層部の横方向又は縦方向の少なくとも一方のピッチは、前記表示領域内において前記表示着色膜が配列する横方向又は縦方向の少なくとも一方のピッチと同一とされていることを特徴とする請求項１に記載の液晶装置。
【請求項３】
前記表示積層部は、前記周辺積層部と概ね厚さが同じに設定されてなることを特徴とする請求項１又は請求項２に記載の液晶装置。
【請求項４】
第１基板と第２基板の間に液晶層が挟持され、前記第１基板と前記第２基板との間の前記液晶層の層厚をギャップ部材によって維持するとともに、前記第１基板及び前記第２基板のうち一方の基板の前記液晶層側には、着色膜と遮光膜が備えられており、複数のドットを有して構成された表示領域において表示を行う液晶装置であって、
前記着色膜は、前記複数のドットに重なる複数色の表示着色膜と、前記表示領域の外部の周辺領域に設けられた周辺着色膜とを有し、前記遮光膜は、前記表示領域内において前記複数のドットの間に設けられたドット遮光膜と、前記周辺領域に設けられた周辺遮光膜とを有してなり、前記表示領域内には、前記表示着色膜の一部と前記ドット遮光膜とが重なり合う表示積層部が設けら、前記周辺領域内には、前記周辺着色膜が前記周辺遮光膜上に部分的に積層して設けられており、当該周辺領域内において、前記周辺着色膜は、前記周辺遮光膜を複数の領域に区画するように前記周辺遮光膜上に配置されていることを特徴とする液晶装置。
【請求項５】
前記周辺着色膜によって区画された前記周辺遮光膜が配列する横方向又は縦方向の少なくとも一方のピッチは、前記表示領域内において前記表示着色膜が配列する横方向又は縦方向の少なくとも一方のピッチと同一とされていることを特徴とする請求項４に記載の液晶装置。
【請求項６】
前記表示着色膜の一部と前記ドット遮光膜が重なり合う前記表示積層部の厚さは、前記周辺着色膜と前記周辺遮光膜が積層された部分の厚さと概ね同じに設定されてなることを特徴とする請求項４又は請求項５に記載の液晶装置。
【請求項７】
前記周辺着色膜の縦方向若しくは横方向の幅は、前記表示遮光膜の縦方向若しくは横方向の幅と同一であることを特徴とする請求項１から請求項６のいずれか１項に記載の液晶装置。
【請求項８】
前記周辺着色膜の幅は、前記ドット遮光膜の幅に対して、０．３〜３倍の値となっていることを特徴とする請求項１から請求項６のいずれか一項に記載の液晶装置。
【請求項９】
前記表示領域の近傍における前記周辺着色膜の幅は、前記第１基板又は前記第２基板の端部の近傍における前記周辺着色膜の幅よりも大きいことを特徴とする請求項１から請求項６のいずれか一項に記載の液晶装置。
【請求項１０】
前記周辺着色膜の幅は、前記表示領域の近傍から、前記第１基板又は前記第２基板の端部に向けて、次第に小さくなることを特徴とする請求項９に記載の液晶装置。
【請求項１１】
請求項１から請求項１０のいずれか一項に記載の液晶装置を表示部として備えたことを特徴とする電子機器。
【請求項１２】
第１基板と第２基板の間に液晶層が挟持され、前記第１基板と前記第２基板との間の前記液晶層の層厚をギャップ部材によって維持するとともに、前記第１基板及び前記第２基板のうち一方の基板の前記液晶層側には、着色膜と遮光膜が備えられており、複数のドットを有して構成された表示領域において表示を行う液晶装置の製造方法であって、
前記第１基板及び前記第２基板のうち一方の基板の前記液晶層側において、前記表示領域内の前記複数のドットの間にドット遮光膜を形成するとともに、前記表示領域の外部の周辺領域に、周辺遮光膜を形成する遮光膜形成工程と、
前記表示領域内の前記複数のドットと重なる位置に、前記ドット遮光膜と一部が重なるように複数色の表示着色膜を形成するとともに、前記周辺領域の前記周辺遮光膜の上に、該周辺遮光膜を複数の領域に区画して囲むように前記周辺着色膜を形成する着色膜形成工程と、
を有することを特徴とする液晶装置の製造方法。
【手続補正２】
【補正対象書類名】明細書
【補正対象項目名】０００５
【補正方法】変更
【補正の内容】
【０００５】
即ち、本発明の液晶装置は、第１基板と第２基板の間に液晶層が挟持され、前記第１基板と前記第２基板との間の前記液晶層の層厚をギャップ部材によって維持するとともに、前記第１基板及び前記第２基板のうち一方の基板の前記液晶層側には、着色膜と遮光膜が備えられており、複数のドットを有して構成された表示領域において表示を行う液晶装置であって、前記着色膜は、前記複数のドットに重なる複数色の表示着色膜と、前記表示領域の外部の周辺領域に設けられた周辺着色膜とを有し、前記遮光膜は、前記表示領域内において前記複数のドットの間に設けられたドット遮光膜と、前記周辺領域に設けられた周辺遮光膜とを有してなり、前記表示領域内には、前記表示着色膜の一部と前記ドット遮光膜とが重なり合う表示積層部が設けら、前記周辺領域内には、前記周辺遮光膜からなる周辺単層部と前記周辺着色膜と前記周辺遮光膜とが重なり合う周辺積層部とが設けられており、前記周辺領域内において、前記周辺積層部は、前記周辺単層部を複数の領域で囲むように配置されていることを特徴とする。
また、本発明の液晶装置は、第１基板と第２基板の間に液晶層が挟持され、前記第１基板と前記第２基板との間の前記液晶層の層厚をギャップ部材によって維持するとともに、前記第１基板及び前記第２基板のうち一方の基板の前記液晶層側には、着色膜と遮光膜が備えられており、複数のドットを有して構成された表示領域において表示を行う液晶装置であって、前記着色膜は、前記複数のドットに重なる複数色の表示着色膜と、前記表示領域の外部の周辺領域に設けられた周辺着色膜とを有し、前記遮光膜は、前記表示領域内において前記複数のドットの間に設けられたドット遮光膜と、前記周辺領域に設けられた周辺遮光膜とを有してなり、前記表示領域内には、前記表示着色膜の一部と前記ドット遮光膜とが重なり合う表示積層部が設けら、前記周辺領域内には、前記周辺着色膜が前記周辺遮光膜上に部分的に積層して設けられており、当該周辺領域内において、前記周辺着色膜は、前記周辺遮光膜を複数の領域に区画するように前記周辺遮光膜上に配置されていることを特徴とする。
【手続補正３】
【補正対象書類名】明細書
【補正対象項目名】００２５
【補正方法】変更
【補正の内容】
【００２５】
また、本発明の液晶装置の製造方法は、第１基板と第２基板の間に液晶層が挟持され、前記第１基板と前記第２基板との間の前記液晶層の層厚をギャップ部材によって維持するとともに、前記第１基板及び前記第２基板のうち一方の基板の前記液晶層側には、着色膜と遮光膜が備えられており、複数のドットを有して構成された表示領域において表示を行う液晶装置の製造方法であって、前記第１基板及び前記第２基板のうち一方の基板の前記液晶層側において、前記表示領域内の前記複数のドットの間にドット遮光膜を形成するとともに、前記表示領域の外部の周辺領域に、周辺遮光膜を形成する遮光膜形成工程と、前記表示領域内の前記複数のドットと重なる位置に、前記ドット遮光膜と一部が重なるように複数色の表示着色膜を形成するとともに、前記周辺領域の前記周辺遮光膜の上に、該周辺遮光膜を複数の領域に区画して囲むように前記周辺着色膜を形成する着色膜形成工程と、を有することを特徴とする。
このようにすれば、上記の液晶装置を製造することができる。従って、リタデーションが不均一になることがなく、表示ムラを抑制された液晶装置を実現できる。
また、本発明によれば、着色膜を形成する工程において表示着色膜と周辺着色膜とを同一工程で形成し、また、遮光膜を形成する工程においてドット遮光膜と周辺遮光膜とを同一工程で形成するので、従来の工程を利用するだけで、上記効果を奏する液晶装置を製造することができる。従って、他の部材を設ける等の工程が不要であり、工程数が増加することなく、表示ムラが抑制された液晶装置を実現できる。